(57)【要約】      （修正有）【課題】トラックのタイヤのボルト清掃に用いるボルト清掃ブラシを提供する。【解決手段】ボルト清掃ブラシは、ケース３、ブラシ部４、環状片５から構成され、前記ケース内３に一端が開口した収容空間を設け、前記ケース内壁の該開口近くに環状溝を周設し、前記収容空間に前記ブラシ部が収容され、前記ブラシ部一面に複数のブラシ毛を設け、かつ該ブラシ毛の前記ブラシ部側から離れた箇所がボルトに接触し、該ボルトの清掃時の効果を高めると共に、前記環状片を前記環状溝内に嵌置し、前記環状片の一側に開口部を形成し、かつ該開口部近くに１つ以上のつまみ部５２を設け、これによりタイヤのボルト清掃時には前記ブラシ部でボルトをきれいに清掃でき、かつブラシ部の交換時にはつまみ部５２で前記環状片を押すと容易に環状片とブラシ部を取り出すことができる。【選択図】図２
0003155174.tif 000002
【実用新案登録請求の範囲】
【請求項１】
ボルトの清掃に用いるボルト清掃ブラシであって、ケースと、ブラシ部と、環状片を含み、前記ケースは一端が開口した収容空間を備え、該ケースの内壁の該開口近くに環状溝が周設され、前記ブラシ部は前記収容空間に収容され、該ブラシ部の一面に複数のブラシ毛が設けられ、かつ該ブラシ毛の前記ブラシ部側から離れた箇所が前記ボルトに接触して前記ボルトの清掃時に優れた効果を発揮し、前記環状片は前記環状溝内に嵌置され、前記ブラシ部を前記ケース内に固定すると共に、前記環状片の一側に開口部が設けられ、前記開口部近くに前記環状片を取り出すために用いる１つ以上のつまみ部が設置されたことを特徴とする、ボルト清掃ブラシ。
【請求項２】
前記ケースの一端を延伸して連結部を設けたことを特徴とする、請求項１に記載のボルト清掃ブラシ。
【請求項３】
前記ケースの内壁に突起リブを設けたことを特徴とする、請求項１に記載のボルト清掃ブラシ。
【請求項４】
前記連結部が多角形体であることを特徴とする、請求項２に記載のボルト清掃ブラシ。
【請求項５】
前記ブラシ部が可とう性の材質から成ることを特徴とする、請求項１に記載のボルト清掃ブラシ。       
【請求項６】
前記つまみ部が孔、フック、またはその他挟持部材のいずれかとすることができることを特徴とする、請求項１に記載のボルト清掃ブラシ。
【考案の詳細な説明】
【技術分野】
【０００１】
本考案はボルト清掃ブラシに関し、特に、トラックのタイヤのボルトをきれいに清掃することができ、ブラシの交換時に容易にブラシを取り外すことができる、ボルト清掃ブラシに関する。
【背景技術】
【０００２】
大型トラックは多くの運送業者にとって重要な商売道具の１つであるが、そのような大きな車体はメンテナンスに多くの時間がかかる。特に車両の重量と車両の移動を支える重要な任務を担っている車輪は往々にして数十個もあり、車輪を連結固定するためのボルトの数量はさらにずっと多く、長い間使用すると、錆びや油汚れによりタイヤの交換後にボルトとナットを再度螺合するときしっかりと緊密に締めることができず、走行時の安全に影響する。ボルトを新しいものに交換することは１つの解決方法ではあるが、一部のトラックはボルトの使用数が数十個にも達し、地球資源が日増しに枯渇しつつある今日、このような行為は明らかに良くないことである。また、新しいボルトはコストが高いため、古いボルトが主体構造において破損がない場合、清掃すれば使用することができるが、従来の清掃方法は木柄の鉄ブラシを利用し、ボルトのネジ溝の錆びた部分を磨いてきれいにしており、このような方法は時間がかかるだけでなく、人力の無駄でもあり、一分一秒を争う現代社会においては効率が低すぎる。
【０００３】
さらに、長い間の探求と研究を経て、考案者は米国特許第US６７６９１５１B1のバッテリー用ブラシを考案した。図１に従来のバッテリー用ブラシの立体分解図を示す。このバッテリー用ブラシは本体１を含み、この本体１の内壁に突起リブ１１が設けられ、前記本体１内に円筒状ブラシ１２を収容し、該円筒状ブラシ１２は前記突起リブ１１により本体１内に固定され、前記本体１上に固定部１３が設けられ、該固定部１３内にネジ孔１３１が形成され、前記ネジ孔１３１に接続ボルト１４が接続される。この構造は改良を経てトラックのボルトの清掃に適しており、かつ電動工具とエア工具の補助で効率を増進することができ、コスト面でも低廉で、使用上時間と手間を省くことができるが、考案者はこのバッテリー用ブラシの使用と実験を経て、次のような改善が必要とされる欠点に気付いた。
【０００４】
一、エア工具または電動工具を利用して清掃ブラシとすることができるが、使用後に円筒状ブラシ１２を交換したいとき、固定部１３と本体１の固定ネジをドライバー等の工具で緩めて取り外さなければ固定部１３と本体１を分離することができず、また固定部１３と本体１を結合させるとき、固定部１３と本体１上の相対するネジ孔を使用者が目で見て調整し、合わせてからネジで本体１と固定部１３を連結し、螺合して固定しなければならず、この円筒状ブラシ１２の交換方法はきわめて不便である。
二、前述の特許構造に基づき、バッテリーの陰極と陽極の管状端子は平滑な表面を備えているため、このバッテリー用ブラシを使用して容易に掃除ができるが、このバッテリー用ブラシの被覆空間はバッテリー陰極および陽極の管状端子の規格の太さの違いに適応するため、ブラシの被覆清掃空間の設計をバッテリー端子より大きくする必要があり、この設計で表面に凹凸のネジ溝があるボルトに対して清掃効果を達成することは困難である。
【０００５】
このため、上述の従来品の問題と欠点をいかに解決するかが本考案の考案者および関連業者が改善を図る研究の方向性である。
【考案の開示】
【考案が解決しようとする課題】
【０００６】
本考案は上述の欠点に鑑みて、関連資料を収集し、多方面の評価と考慮を経て、関連産業における長年の経験に基づき試作と修正を重ね、このトラックのタイヤのボルトをきれいに清掃することができ、ブラシ交換時にブラシを容易に取り外すことができる、ボルト清掃ブラシの設計に至ったものである。
【０００７】
本考案の主な目的は、トラックのタイヤのボルト清掃に用いることができる、ボルト清掃ブラシを提供することにある。          
【課題を解決するための手段】
【０００８】
本考案のボルト清掃ブラシは、ケース、ブラシ部、環状片から構成され、前記ケース内に前記ブラシ部を収容するための収容空間が設けられ、前記ケースの内壁に前記環状片を固定するための環状溝が周設され、かつ前記ケース内壁に前記ブラシ部を固定するための突起リブが設けられ、前記ブラシ部は一面に複数のブラシ毛が設置され、かつ該ブラシ毛の前記ブラシ部側から離れた箇所がボルトに接触し、該ボルトの清掃時の効果を高めると共に、前記環状片は一側に該環状片を前記環状溝内に便利に嵌置させるための開口部が形成され、かつ該開口部近くに１つ以上のつまみ部が形成される。
【考案の効果】
【０００９】
上述の技術により、従来のバッテリー用ブラシに存在する欠点を改善する。従来のバッテリー用ブラシは円筒状のブラシを交換するとき非常に不便であり、かつブラシ部の被覆空間が清掃する端子太さの規格のばらつきに適応するため、設計上清掃する端子より大きくする必要があり、表面に凹凸のネジ溝があるボルトにおいてこの設計では清掃効果を達することが困難であるという欠点があるが、本考案はこれらの問題点を打破し、ブラシ部の交換時につまみ部で前記環状片を押して該環状片を容易に取り外し、同時に該ブラシ部を取り出して交換できるようにしており、構造が非常に簡単で、ブラシ毛のブラシ部側から離れた箇所がボルトに当たり、ボルトの清掃時に優れた効果を発揮し、実用的かつ便利で、製造コストが低く、進歩性を備えている。
【００１０】
全部の図に示すように、本考案の使用時には、従来技術と比較して、次のような利点がある。
一、         
ブラシ部４を交換したいときは、該ブラシ部４を固定している環状片５をつまみ部５２により内側に向かって押す動作をすると、該環状片５を取り出すことができ、該環状片５を取り出すと、前記ブラシ部４が取り出され、軽易にブラシ部４を交換することができる。
二、         
ブラシ部４は突起リブ３３２（突起リブ３３２はT字形の態様をなす）により固定され、前記環状溝３３１は前記環状片５を固定するために用いられ、該環状片５はブラシ部４を収容空間３２内に固定するために用いられ、これによりブラシ部４が回転時に脱落しないよう規制され、構造が簡単で製造が容易な利点がある。
三、         
ブラシ部４の一面に複数のブラシ毛４１が設けられ、これらブラシ毛４１のブラシ部４側から離れた箇所に接触端４１１が定義され、該接触端４１１がボルト６に接触し、これによりボルト６を清掃するとき、より一層ボルト６をきれいに清掃することができ、効果に優れている。
【考案を実施するための最良の形態】
【００１１】
上述の目的と効果を達するため、本考案が採用する技術手段及び構造について、最良の実施例と図面に基づきその特徴と機能を以下で詳細に説明する。
【００１２】
図２、図３、図４に本考案の最良の実施例の立体図、立体分解図及び部分立体図をそれぞれ示す。これらの図からはっきりと分かるように、ボルト清掃ブラシ２はトラックのタイヤのボルト清掃に用いることができ、該ボルト清掃ブラシ２はケース３を含み、該ケース３の一端を延伸して連結部３１が設けられ、該連結部３１は多角形体とすることができ、前記ケース３内に一端が開口した収容空間３２が形成され、かつ前記ケース３の内壁３３に突起リブ３３２が設けられ、前記突起リブ３３２はT字形の様態であり、かつ前記収容空間３２にブラシ部４が収容され、該ブラシ部４はずれたり離脱したりしないよう前記突起リブ３３２によって固定され、前記ブラシ部４の一面に複数のブラシ毛４１が設けられ、前記ブラシ毛４１のブラシ部４側から離れた箇所に接触端４１１が定義され、前記接触端４１１が前記ボルトに接触し、該ボルトの清掃時に優れた効果を発揮し、かつ前記ブラシ部４は可とう性のある材質から成り、さらに前記ケース３の内壁３３の前記開口近くに環状溝３３１が周設され、前記環状溝３３１に環状片５が設置され、該環状片５は前記ブラシ部４を規制し位置決めするために用いられ、これにより前記ブラシ部４がケース３内から離脱しないよう規制されると共に、前記環状片５は一側に該環状片５を前記環状溝３３１内に便利に嵌置することができるようにするための開口部５１を備え、かつ該開口部５１の近くに前記環状片５の取り出しに用いる１つ以上のつまみ部５２が設けられ、前記つまみ部５２を利用し、一般の市販の工具を用いて環状片５を容易に取り外すことができ、傷んで変形したブラシ部を軽易に交換することができる。
【００１３】
上述の構造、組み立て設計に基づき、本考案の使用時の動作状況について以下で説明する。同時に図３、図５に本考案の最良の実施例の立体分解図、動作図をそれぞれ示す。これらの図からはっきりと分かるように、ボルト清掃ブラシ２はトラックのタイヤのボルト６の清掃に用いることができ、前記ボルト清掃ブラシ２は、ケース３、ブラシ部４、環状片５から構成され、前記ケース３の一端を延伸して連結部３１が設けられ、該連結部３１に駆動装置７が連結され、該駆動装置７は前記ボルト清掃ブラシ２を駆動するために用いられ、該ボルト清掃ブラシ２に回転力を持たせる。前記ケース３内に一端が開口した収容空間３２が設けられ、前記ケース３の内壁３３に環状溝３３１が周設され、かつ前記ケース３の内壁３３に突起リブ３３２が形成され、該突起リブ３３２はT字形の態様をなし、前記収容空間３２に前記ブラシ部４が収容され、該ブラシ部４は前記突起リブ３３２により前記ケース３内に固定される。かつ前記ブラシ部４は一面に複数のブラシ毛４１が設けられ、該ブラシ毛４１の前記ブラシ部４側から離れた箇所に接触端４１１が定義され、前記接触端４１１が前記ボルト６に接触し、かつ接触時に前記ブラシ毛４１の内径が対応するボルト６の外径より若干小さいため、該ボルトの清掃時に優れた効果を発揮し、前記ボルト清掃ブラシ２を使用して前記ボルト６を清掃するとき、前記ブラシ部４の接触端４１１により前記ボルト６の清掃時の効果を高める。さらに前記環状溝３３１に環状片５が設置され、該環状片５は一側に該環状片５を前記環状溝３３１内に便利に嵌置することができるようにするための開口部５１が形成される。さらに、前記ボルト６上にはネジ溝部６１が形成され、前記ボルト清掃ブラシ２を利用して前記ボルト６を清掃するとき、前記接触端４１１が前記ボルトに接触して前記ブラシ部４でボルト６を徹底的に清掃することができる。かつ使用者が前記ボルト６を清掃したいときは、前記ボルト清掃ブラシ２のブラシ部４内にボルト６を入れると、前記ボルト６が同時に前記ブラシ毛４１の接触端４１１に接触し、該ボルト６のネジ溝部６１のネジ溝の方向に沿って回転させると、前記ブラシ毛４１が前記ネジ溝部６１の凹部に深く入り込み、該ボルト６に対して清掃の動作を行うことができる。かつ、前記ブラシ部４がボルト６を清掃するとき、該ブラシ部４が突起リブ３３２により固定され、かつ該ブラシ部４は前記環状片５により前記収容空間３２内に固定されるため、該ブラシ部４を回転させるときずれたり脱落したりすることがない。これにより、構造が簡単で耐用性があり、使用上実用的かつ便利であり、製造上のコストが低い、多くの利点が達成される。
【００１４】
図３、図６、図７に本考案の最良の実施例の立体分解図、動作図１、２をそれぞれ示す。これらの図からはっきりと分かるように、前記ボルト清掃ブラシ２内のブラシ部４を交換したいときは、つまみ部５２を利用して取り外すことができ、そのうち、前記ボルト清掃ブラシ２は、ケース３、環状片５、ブラシ部４から構成され、前記ケース３内に収容空間３２が設けられ、前記収容空間３２に前記ブラシ部４が収容され、前記ケース３の内壁３３のあらかじめ定めた位置に環状溝３３１が周設され、該環状溝３３１に環状片５が嵌置され、該環状片５は一側に該環状片５を前記環状溝３３１内に便利に嵌置することができるようにするための開口部５１が形成され、かつ該開口部５１近くの適切な箇所に１つ以上のつまみ部５２が設けられ、使用者がブラシ部４を取り外して交換したいとき、前記つまみ部５２を利用し、前記環状片５を押すと、該環状片５を取り出すことができ、前記環状片５を取り出した後、前記収容空間３２内に収容された前記ブラシ部４を取り出すことができ、時間と手間を省いて迅速かつ便利に交換を行うことができる。
【００１５】
図８に本考案の最良の実施例の環状片の立体図を示す。この図からはっきりと分かるように、前記環状片５aは一側に開口部５１aが形成され、かつ該開口部５１a近くに１つ以上のつまみ部５２aが設けられ、該つまみ部５２aは孔とすることができる。
【００１６】
図９に本考案のさらに別の最良の実施例の環状片の立体図を示す。この図からはっきりと分かるように、前記環状片５ｂは一側に開口部５１ｂが形成され、かつ該開口部５１ｂ近くに１つ以上のつまみ部５２ｂが設けられ、該つまみ部５２ｂはフックまたは挟持できる部材とすることができる。
【００１７】
以上の説明は本考案の最良の実施例に基づくものであり、本考案の特許範囲を制限するものではなく、本考案の明細書及び図面の内容を運用した簡易な修飾や構造変化は本考案の特許範囲内に含まれるものとみなす。
【００１８】
上述をまとめると、本考案のボルト清掃ブラシは使用時にその効果と目的を確実に達することができるため、本考案は実用性に優れた創作であり、実用新案登録出願の要件を満たしているため、法に基づきここに出願を提出するものである。
【図面の簡単な説明】
【００１９】
【図１】従来のバッテリー用ブラシの立体分解図である。
【図２】本考案の最良の実施例の立体図である。
【図３】本考案の最良の実施例の立体分解図である。
【図４】本考案の最良の実施例の部分立体図である。
【図５】本考案の最良の実施例の動作図である。
【図６】本考案の最良の実施例の動作図１である。
【図７】本考案の最良の実施例の動作図２である。
【図８】本考案の最良の実施例の環状片の立体図である。
【図９】本考案の最良の実施例の別の環状片の立体図である。
【符号の説明】
【００２０】
１        本体
１１      突起リブ
１２      円筒状ブラシ
１３      固定部
１３１    ネジ孔
１４      接続ボルト
２        ボルト清掃ブラシ
３        ケース
３１      連結部
３２      収容空間
３３      内壁
３３１    環状溝
３３２    突起リブ
４        ブラシ部
４１      ブラシ毛
４１１    接触端
５、５a、５ｂ    環状片
５１、５１a、５１ｂ    開口部
５２、５２a、５２ｂ    つまみ部
６        ボルト
６１      ネジ溝
７        駆動装置
【図１】
0003155174.tif 000003
【図２】
0003155174.tif 000004
【図３】
0003155174.tif 000005
【図４】
0003155174.tif 000006
【図５】
0003155174.tif 000007
【図６】
0003155174.tif 000008
【図７】
0003155174.tif 000009
【図８】
0003155174.tif 000010
【図９】
0003155174.tif 000011
【手続補正書】
【提出日】平成21年8月20日(2009.8.20)
【手続補正２】
【補正対象書類名】実用新案登録請求の範囲
【補正対象項目名】請求項６
【補正方法】変更
【補正の内容】
【請求項６】
前記つまみ部が孔またはフックのいずれかとすることができることを特徴とする、請求項１に記載のボルト清掃ブラシ。